(57)【特許請求の範囲】
【請求項１】
電子部品接着用の異方性導電剤をベーステープに積層した異方性導電テープを供給する供給部と、この異方性導電テープの異方性導電剤面側をワークに押しつけることによりワークに異方性導電剤を貼着する圧着ヘッドと、異方性導電剤が剥離された後のベーステープを回収する回収部と、前記供給部から引き出された異方性導電テープをテンションローラによりガイドして張力を付与する張力付与部とを備え、
前記テンションローラは、円柱状の固定部と、この固定部の外周に回転自在に嵌着された回転部とから成り、前記固定部にはエア源からエアが供給されるエア供給孔が設けられており、また前記回転部には前記エア供給孔に連通して外周からエアを吹き出すことにより前記異方性導電テープの異方性導電剤がこの外周への粘着を防止するエア孔が設けられ、且つ異方性導電剤が前記回転部の外周面に接触する部分に対応する前記固定部の円周部分に、前記エア供給孔と前記エア孔を連通させるための溝部を設けたことを特徴とする電子部品接着用の異方性導電剤の供給装置。
【請求項２】
請求項１記載の電子部品接着用の異方性導電剤の供給装置において、電子部品接着用の異方性導電剤をベーステープに積層した異方性導電テープを供給部から引き出し、圧着ヘッドによってこの異方性導電テープの異方性導電剤面側をワークに押し付けることによりワークに異方性導電剤を貼着する電子部品接着用の異方性導電剤の供給方法であって、前記供給部から引き出された異方性導電テープを張力付与部のテンションローラによりガイドして張力を付与する際に、前記テンションローラの固定部のエア供給孔に連通した回転部のエア孔からエアを吹き出すことにより前記異方性導電テープに積層された異方性導電剤の前記テンションローラの回転部の外周への粘着を防止することを特徴とする電子部品接着用の異方性導電テープの供給方法。
【発明の詳細な説明】
【０００１】
【発明の属する技術分野】
本発明は、電子部品接着用の異方性導電剤を圧着ヘッドによってワークに押し付けて貼着する電子部品接着用の異方性導電剤の供給装置および供給方法に関するものである。
【０００２】
【従来の技術】
電子部品を基板などに実装する方法として、異方性導電剤を基板などのワークの電極上に貼付け、その上からチップを圧着する方法が知られている。異方性導電剤（以下、［ＡＣＦ」という）は粘着性を有し取り扱いにくいため、ベーステープに積層して異方性導電テープ（以下、「ＡＣＦテープ」という）とすることが行われる。このＡＣＦテープは供給リールに巻回した状態で取り扱われ、ＡＣＦ供給装置に装着される。
【０００３】
そして、供給リールから引き出されたＡＣＦテープは、ガイドローラなどのガイド手段を介して圧着ヘッドの下面まで導かれ、この圧着ヘッドを下降させることにより、ＡＣＦがワークに押し付けられ供給される。このＡＣＦテープを押し付ける際には、ＡＣＦテープを捻れや弛みのない正しい姿勢で保持するために、ＡＣＦテープには適正値の張力が付与される。このため、ＡＣＦの供給装置には、供給リールから引き出されたＡＣＦテープをローラでガイドしながら張力を付与するテンションローラを備えたものが多い。
【０００４】
【発明が解決しようとする課題】
ＡＣＦの供給装置では、ＡＣＦテープの取り廻し上テンションローラをＡＣＦ面側に接触させた状態でガイドする配置となるため、張力付与時にはＡＣＦはテンションローラに押し当てられた状態にある。このため、ＡＣＦはベーステープから剥離して粘着力によりテンションローラの外周に付着しやすく、このために安定した正常な張力付与が困難であると共に、テープ送り異常を発生する原因となるという問題点があった。
【０００５】
そこで本発明は、異方性導電剤の付着を防止して、安定した張力付与が行える電子部品接着用の異方性導電剤の供給装置および供給方法を提供することを目的とする。
【０００６】
【課題を解決するための手段】
請求項１記載の電子部品接着用の異方性導電テープの供給装置は、電子部品接着用の異方性導電剤をベーステープに積層した異方性導電テープを供給する供給部と、この異方性導電テープの異方性導電剤面側をワークに押しつけることによりワークに異方性導電剤を貼着する圧着ヘッドと、異方性導電剤が剥離された後のベーステープを回収する回収部と、前記供給部から引き出された異方性導電テープをテンションローラによりガイドして張力を付与する張力付与部とを備え、前記テンションローラは、円柱状の固定部と、この固定部の外周に回転自在に嵌着された回転部とから成り、前記固定部にはエア源からエアが供給されるエア供給孔が設けられており、また前記回転部には前記エア供給孔に連通して外周からエアを吹き出すことにより前記異方性導電テープの異方性導電剤がこの外周への粘着を防止するエア孔が設けられ、且つ異方性導電剤が前記回転部の外周面に接触する部分に対応する前記固定部の円周部分に、前記エア供給孔と前記エア孔を連通させるための溝部を設けた。
【０００７】
請求項２記載の電子部品接着用の異方性導電テープの供給方法は、請求項１記載の電子部品接着用の異方性導電剤の供給装置において、電子部品接着用の異方性導電剤をベーステープに積層した異方性導電テープを供給部から引き出し、圧着ヘッドによってこの異方性導電テープの異方性導電剤面側をワークに押し付けることによりワークに異方性導電剤を貼着する電子部品接着用の異方性導電剤の供給方法であって、前記供給部から引き出された異方性導電テープを張力付与部のテンションローラによりガイドして張力を付与する際に、前記テンションローラの固定部のエア供給孔に連通した回転部のエア孔からエアを吹き出すことにより前記異方性導電テープに積層された異方性導電剤の前記テンションローラの回転部の外周への粘着を防止するようにした。
【０００８】
本発明によれば、供給リールから引き出された異方性導電テープを張力付与部のテンションローラによりガイドして張力を付与する際に、固定部に回転自在に嵌着された回転部のエア孔からエアを吹き出すことにより異方性導電剤の回転部の外周への粘着を防止することにより、異方性導電剤の付着を防止して張力付与を安定して行うことができる。
【０００９】
【発明の実施の形態】
次に、本発明の実施の形態を図面を参照して説明する。図１は本発明の一実施の形態の電子部品接着用の異方性導電剤の供給装置の正面図、図２（ａ）は本発明の一実施の形態の電子部品接着用の異方性導電テープの張力付与部の側面図、図２（ｂ）は本発明の一実施の形態の電子部品接着用の異方性導電テープの張力付与部の断面図、図３は本発明の一実施の形態の電子部品接着用の異方性導電テープの張力付与部の部分断面図、図４（ａ）は本発明の一実施の形態の電子部品接着用の異方性導電テープの張力付与部の側面図、図４（ｂ）は本発明の一実施の形態の電子部品接着用の異方性導電テープの張力付与部の断面図である。
【００１０】
まず図１を参照して電子部品接着用の異方性導電剤（ＡＣＦ）の供給装置について説明する。図１において、位置決めテーブル１は、Ｘテーブル２、Ｙテーブル３およびθテーブル４を段積みし、その上にワーク保持部５を装着して構成されている。ワーク保持部５上には、ＡＣＦ供給対象のワーク６が載置され、保持される。位置決めテーブル１を駆動することにより、ワーク６の位置が調整される。
【００１１】
位置決めテーブル１の上方には、ＡＣＦ供給機構１０が配設されている。本体フレーム１１の前面には、ＡＣＦをベーステープに積層したＡＣＦテープ１３を巻回状態で収納した供給リール１２（供給部）が配設されている。供給リール１２から引き出されたＡＣＦテープ１３は張力付与部１４に導かれる。張力付与部１４は２つのガイドローラ１６Ａとテンションローラ１５より成る。ＡＣＦテープ１３は２つのガイドローラ１６Ａの間で下垂し、この下垂部でテンションローラ１５を周回する。そしてテンションローラ１５に下向きの所定荷重を作用させることにより、ＡＣＦテープ１３に張力を付与する。
【００１２】
本体フレーム１１の下部には、圧着ヘッド１８がヘッド上下動機構１７によって上下動自在に配設されている。圧着ヘッド１８の左右両側方にはガイドローラ１６Ｃが設けられており、張力付与部１４から引き廻されたＡＣＦテープ１３は途中でガイドローラ１６Ｂを経由してガイドローラ１６Ｃによってガイドされ、圧着ヘッド１８の下面に平行に展張される。
【００１３】
この状態でヘッド上下機構１７を駆動して圧着ヘッド１８を下降させることにより、ＡＣＦテープ１３は圧着ヘッド１８の下面によって押し下げられ、位置決めテーブル１に保持されたワーク６の表面に押し付けられる。ＡＣＦテープ１３の下面側はＡＣＦ１３ｂの積層面となっており、この積層面がワーク６に押し付けられることにより、ワーク６表面の所定位置にＡＣＦ１３ｂが貼着される。これにより、ワークのチップ実装位置に電子部品接着用のＡＣＦ１３ｂが供給される。そして、ＡＣＦ１３ｂが剥離された後のベーステープは、回収リール１９（回収部）に巻き取られて回収される。
【００１４】
次に図２を参照して、張力付与部１４のテンションローラ１５の構造について説明する。図２（ａ），（ｂ）に示すように、テンションローラ１５はローラ状部材であり、円柱状の固定部２０の外周にフランジ２１ａが設けられた回転部２１を回転自在に嵌着して構成されている。固定部２０の両端面には、連結部材２２が取り付けられており、連結部材２２には下方へ所定の張力Ｗを付与するウェイト２３が結合されている。
【００１５】
ＡＣＦテープ１３は回転部２１の外周を周回してＡＣＦ１３ｂ側の面を回転部２１に接触させて装着され、ウェイト２３による張力Ｗは周回状態のＡＣＦテープ１３を常に一定の張力によって下方に引き下げる。これにより、ＡＣＦテープ１３には所定の張力が付与される。ＡＣＦテープ１３のテープ送り時には、ＡＣＦテープ１３の走行とともに、回転部２１は図２（ｂ）の矢印方向に回転する。
【００１６】
回転部２１には、外周面に開口する多数のエア孔２１ｂが放射状に設けられている。図２（ｂ）は、図２（ａ）のＡ−Ａ断面を示しており、固定部２０には、ＡＣＦ１３ｂが回転部２１の外周面に接触する部分に対応する部分である下半分の円周部分にのみ回転部２０のエア孔２１ｂと連通する位置に溝部２０ｂが設けられている。溝部２０ｂは固定部２０の中心に設けられたエア供給孔２０ａと連通して、エア供給孔２０ａとエア孔２０ｂを連通させるものであり、エア供給孔２０ａには継手部材２４を介してエアチューブ２５が連結されている。図示しないエア源からエア供給孔２０ａ内にエアを供給すると、送り込まれたエアは溝部２０ｂと連通状態のエア孔２１ｂから回転部２１の外周に吹き出される。
【００１７】
図３は、テープ送り時にエア供給孔２０ａにエアを供給した状態を示している。溝部２０ｂ、エア孔２１ｂを介して回転部２１の外周面の開口から吹き出したエアは、回転部２１を周回するＡＣＦテープ１３と回転部２１の外周面２１ｃとの接触面、すなわちＡＣＦ１３ｂと外周面２１ｃとの間に吹き出してこれらの接触面に空隙部２６を生じさせる。
【００１８】
すなわちエア孔２１ｂから吹き出すエアは、ＡＣＦ１３ｂと回転部２１との接触面を常に引き離すように作用し、ＡＣＦ１３ｂが所定時間以上回転部２１の外周に粘着状態となることがない。したがって、従来のテンションローラにおいて発生していたＡＣＦ１３ｂのテンションローラ１５への粘着を有効に防止することができる。エア孔２１ｂは、ＡＣＦ１３ｂのテンションローラ１５の外周への粘着を防止する粘着防止手段となっている。
【００１９】
図４は、本実施の形態の他の例を示している。図４（ａ），（ｂ）において、テンション部材２７は、図２に示す回転部２１と類似形状の固定のローラ状部材である。テンション部材２７の外周をＡＣＦテープ１３を周回させ、図２に示す例と同様にウェイト２３によりテンション部材２７を押し下げることにより、ＡＣＦテープ１３には張力が付与される。
【００２０】
テンション部材２７の内部にはエア供給孔３０ａが設けられており、エア供給孔３０ａは放射状に外周に向かって設けられたエア孔３０ｂと連通している。エア供給孔３０ａにエアを送給することにより、エア孔３０ｂからテンション部材２７の外周面にはエアが吹き出される。
【００２１】
テンション部材２７の外周面にＡＣＦテープ１３が装着され、ＡＣＦテープ１３に張力が付与されている状態で上記エアが吹き出されると、このエアはＡＣＦ１３ｂをテンション部材２７の外周面から引き離す作用を有することから、ＡＣＦテープ１３のテンション部材２７に対する周回面の大部分において、ＡＣＦ１３ｂを外周面に対して非接触の状態に保つことができる。したがって、テンション部材２７を回転させずにＡＣＦテープ１３に対して張力を付与しながらＡＣＦテープ１３をテープ送りすることができる。また同様にエア孔３０ｂは、ＡＣＦ１３ｂのテンション部材２７の外周への粘着を防止する粘着防止手段となっている。
【００２２】
上記説明したように、本実施の形態に示す各例は、供給リール１２から引き出されたＡＣＦテープ１３を張力付与部１４のローラ状部材によりガイドして張力を付与する際に、ローラ状部材の外周からエアを吹き出すことにより、ＡＣＦテープ１３のＡＣＦ１３ｂが外周面に粘着するのを防止するものである。これにより、ＡＣＦテープ１３への張力付与を安定して行うことができ、ＡＣＦの粘着よる定溜のないスムーズなテープ送りと、ワークへの良好なＡＣＦの貼着を行うことができる。
【００２３】
【発明の効果】
本発明によれば、供給リールから引き出された異方性導電テープを張力付与部のテンションローラによりガイドして張力を付与する際に、固定部に回転自在に嵌着された回転部のエア孔からエアを吹き出すことにより異方性導電剤の回転部の外周への粘着を防止するようにしたので、異方性導電剤の付着を防止して張力付与を安定して行うことができ、定溜のないスムーズなテープ送りと、ワークへの良好な異方性導電剤の貼着を行うことができる。
【図面の簡単な説明】
【図１】本発明の一実施の形態の電子部品接着用の異方性導電剤の供給装置の正面図
【図２】（ａ）本発明の一実施の形態の電子部品接着用の異方性導電テープの張力付与部の側面図
（ｂ）本発明の一実施の形態の電子部品接着用の異方性導電テープの張力付与部の断面図
【図３】本発明の一実施の形態の電子部品接着用の異方性導電テープの張力付与部の部分断面図
【図４】（ａ）本発明の一実施の形態の電子部品接着用の異方性導電テープの張力付与部の側面図
（ｂ）本発明の一実施の形態の電子部品接着用の異方性導電テープの張力付与部の断面図
【符号の説明】
６  ワーク
１０  ＡＣＦ供給機構
１２  供給リール
１３  ＡＣＦテープ
１３ｂ  ＡＣＦ
１４  張力付与部
１５  テンションローラ
１８  圧着ヘッド
１９  回収リール
２０  固定部
２１  回転部
【図１】
0004203931.tif 000002
【図２】
0004203931.tif 000003
【図３】
0004203931.tif 000004
【図４】
0004203931.tif 000005